(57)【特許請求の範囲】
【請求項１】
医療用設計の電気機器または電子機器の筐体であって、
前記筐体は、前記筐体の外側から作動可能なロッキング機構により前記筐体または筐体開口部を閉鎖するために前記筐体上に固定可能な少なくとも１つのアクセス用フード／アクセス用蓋を備えており、
前記ロッキング機構が少なくとも１つのロック／滑動部（１０）を備えており、
前記少なくとも１つのロック／滑動部（１０）は、前記筐体上または前記アクセス用フード／アクセス用蓋上に長手方向に変位可能であるように保持され、前記少なくとも１つのロック／滑動部（１０）には、少なくとも１つの傾斜部（１８）とそこから滑動方向に離間した少なくとも１つのアンダーカットまたは戻り止め突起部（２０）とが設けられており、
一方で、前記アクセス用フード／アクセス用蓋または前記筐体には、少なくとも１つの突出部（８ｂ）が設けられており、
少なくとも２つの係合手段（Ａ、Ｂ）が、前記ロック／滑動部（１０）の現時点の滑動位置に応じて、前記アクセス用フード／アクセス用蓋を前記筐体に向かって引くために関連する戻り止め突起部（２０）と、または、前記アクセス用フード／アクセス用蓋を前記筐体から離れるように押すために前記傾斜部（１８）と、交互に作動的に係合するような方法で、前記少なくとも１つの突出部（８ｂ）は、前記少なくとも２つの係合手段（Ａ、Ｂ）を画定するように形成および／または配置され、
前記筐体は、それぞれの前記ロック／滑動部（１０）を前記筐体の外側から長手方向にシフトさせるための作動機構をさらに備え、
前記作動機構は、止めねじ（２８）であり、
前記止めねじ（２８）は、ベースプレート（１）、複数の側壁（２）のうちの１つの側壁、および／または、前記アクセス用フード／アクセス用蓋に、関連する前記ロック／滑動部（１０）の前記滑動方向にねじ込まれ、前記止めねじ（２８）の前面が、関連する前記ロック／滑動部（１０）をその長手方向に押すまたは引くために、前記関連するロック／滑動部（１０）に係合することを特徴とする、筐体。
【請求項２】
前記ベースプレート（１）と、前記複数の側壁（２）と、前記少なくとも１つのアクセス用フード／アクセス用蓋は、さねはぎ原理に従い結合可能であることを特徴とする、請求項１に記載の筐体。
【請求項３】
少なくとも１つの溝または複数の溝（４）が、少なくとも前記ベースプレート（１）の筐体内側表面上にその周辺に沿って形成され、それらのそれぞれの溝の深さが、前記側壁（２）および好ましくは前記アクセス用フード／アクセス用蓋の直立したプラグイン収容のために前記筐体内側表面に垂直になるように配向されていることを特徴とする、請求項２に記載の筐体。
【請求項４】
複数の連続的に離間した案内ピン（６）が、前記ベースプレート（１）、少なくとも１つの前記側壁（２）および／または前記アクセス用フード／アクセス用蓋上において、対応する筐体部品のそれぞれの筐体内側表面上の縁部に形成され、前記案内ピン（６）は、前記ロック／滑動部（１０）を長手方向に案内するために設けられることを特徴とする、請求項２に記載の筐体。
【請求項５】
前記ロック／滑動部（１０）が板金または鋳造金属部品から製造されることを特徴とする、請求項１〜４のいずれか一項に記載の筐体。
【請求項６】
前記ロック／滑動部（１０）が、前記長手方向に連続的に間隔を空けて配置され、前記案内ピン（６）が前記長手方向に滑動するように中に挿入されるまたは挿入可能な、複数の長手方向の貫通スロット（１４）を備えることを特徴とする、請求項４に記載の筐体。
【請求項７】
前記少なくとも１つの突出部（８ｂ）が、前記ベースプレート（１）、少なくとも１つの前記側壁（２）および／または前記アクセス用フード／アクセス用蓋に固定されるまたは固定可能な別体の係合手段コンポーネント（８）により設けられることを特徴とする、請求項１〜６のいずれか一項に記載の筐体。
【請求項８】
好ましくは板金部品である前記係合手段コンポーネント（８）が、複数の突起またはボルト状の長手方向に離間した突出部（８ｂ）を備え、前記複数の突起またはボルト状の長手方向に離間した突出部（８ｂ）は、それぞれが前記ロック／滑動部（１０）上の前記少なくとも１つの戻り止め突起部（２０）および／または前記少なくとも１つの傾斜部（１８）と協働するため１つまたは２つの係合手段（Ａ、Ｂ）を画定することを特徴とする、請求項７に記載の筐体。
【発明の詳細な説明】
【技術分野】
【０００１】
本発明は、特に請求項１のプレアンブルによる医療機器のロック可能な筐体（圧力筐体）に関する。
【背景技術】
【０００２】
特に、医療技術において、また自動車工学または航空機の製造の分野においても、電気機器および電子部品を、一方では機器およびコンポーネントを、例えば湿気、ごみおよび震動／衝撃／振動のような外部からの影響から保護し、他方では、電磁波が筐体から漏れるのを効果的に防止する、いわゆる保護筐体に収容することが基本的に求められる。
【０００３】
そのような筐体は通常、取付けフラップまたはフード（ｈｏｏｄ）で閉鎖可能な少なくとも１つの取付け開口部を含む。
【０００４】
先行技術から、前述の種類の筐体は周知である。前記筐体はその周辺部にねじで取り付けられたまたは溶接された４つの側壁を有するベースプレートからなる。筐体の蓋は、カバーが取り付けられた状態で側壁を覆うまたは側壁の裏側に配置される、周辺囲い取付フレームを備える。最後に、貫通孔が側壁、および周辺囲い取付フレームに設けられ、好ましくはタッピンねじまたは金属製のねじを、カバーを側壁へ取り付けるために前記貫通孔内へねじ込むことができる。
【０００５】
この一般に公知の筐体の製造における問題は、個々の筐体部品間の既に存在する微小な間隙または遊びにより、電磁波が筐体内部から漏れるという結果になり得ることである。その上、塵埃粒子および湿気がこれらの「取付け間隙」を貫通し、内蔵されたコンポーネントに損傷を与える。後者は実際には対応するシーリングにより防止することができるが、これらシーリングは通常、（非金属の）合成材料でできており、したがって電磁波に対して透過性である。
【０００６】
湿気および塵埃を通さずかつ電磁波に関しては絶縁されている筐体を提供するために、個々の筐体コンポーネントは高い精度で製造されなければならず、さらには取付けも高い費用をかけて実施されるものである。このため、筐体部品にさねはぎ縁を設けなければならず、かつ、ねじ固定のために設けられる穴が、予め決められた相対的位置が個々の筐体部品をねじで取り付ける間に変わらないように厳密に設定されなければならない。筐体部品の準備および取付けにおけるこの費用により、筐体が全体として高価なものとなり、その取扱いが非実用的なものとなる。
【発明の概要】
【発明が解決しようとする課題】
【０００７】
これらの問題を考慮して、単純な組み立ておよび手入れの容易さで優れた、好ましくは医療用の（機器の）筐体を提供することが本発明の目的である。好ましい目的は、筐体の組み立て時間、したがって（電気／電子）機器全体の組み立て時間を短縮することである。さらに好ましい目的は、一方では電磁波／放射線が筐体の内部から外側に向かって漏れることを回避し、また他方ではいずれの外部の妨害放射線も機器筐体に侵入することを防止するために、筐体をファラデーケージとして形成することである。
【課題を解決するための手段】
【０００８】
本発明の目的および場合によりさらなる目的は、添付の請求項１の特徴を備える（医療）機器筐体により達成される。有利な構成は従属請求項の主題である。
【０００９】
本発明は、これまでは２つの筐体部品間の着脱可能な接続要素として用いられているねじを、ロッキング機構を作動させるための調節デバイスとして間接的な方法でのみ使用するという考えに基づく。本発明による、２つの筐体部品を接続するためのこのようなロッキング機構は通常、アンダーカット／戻り止め突起部と傾斜部とを有するロックまたは滑動部を含み、ロック／滑動部は第１筐体部品上に可動に支持され、外側から、好ましくは止めねじまたは例えばニーレバー（ｋｎｅｅ  ｌｅｖｅｒ）などの他の任意の調節機構により作動可能である。アンダーカット／戻り止め突起部のための第１係合手段および傾斜部のための第２係合手段は、第２筐体部品上に配置／形成される。
【００１０】
２つの係合手段およびアンダーカット／戻り止め突起部は、アンダーカット／戻り止め突起部が、ロック／滑動部のロッキング移動の際に第１係合手段と作動的に係合され、一方で傾斜部は第２係合手段との係合から離れるように配置される。このように、第１係合手段と、したがって関連する筐体部品とは、ロック／滑動部に向かって、したがって関連する筐体部品へ引かれる。代わりに、ロック／滑動部が開口／解放方向に移動するよう作動される場合、アンダーカット／戻り止め突起部は第１係合手段との係合を離れ、一方で傾斜部は第２係合手段と作動的に係合する。結果として、第２係合手段と、したがって関連する筐体部品とは、ロック／滑動部から、したがって関連する筐体部品から離れるように押される。
【００１１】
換言すると、本発明の一態様によると、好ましくは医療用設計の電気機器または電子機器の筐体であって、筐体の外側から作動可能なロッキング機構により筐体または筐体開口部を閉鎖するために筐体上に固定可能なアクセス用フード、アクセス用蓋または同様の筐体部品を備える筐体が提案される。ロッキング機構は、少なくとも１つのロック／滑動部を備えており、少なくとも１つのロック／滑動部は第１筐体部品上、すなわち筐体上またはアクセス用フード／アクセス用蓋上に長手方向に変位可能であるように保持され、少なくとも１つのロック／滑動部は傾斜部とそこから滑動方向に離間したアンダーカットまたは戻り止め突起部とを設けられており、一方で第２筐体部品、すなわちアクセス用フード／アクセス用蓋または筐体に、少なくとも１つの突出部が設けられており、２つの係合手段が、ロック／滑動部の現時点の滑動位置に応じて、アクセス用フード／アクセス用蓋を筐体に向かって引くために関連する戻り止め突起部と、またはアクセス用フード／アクセス用蓋を筐体から離れるように押すために傾斜部と、交互に作動的に係合するような方法で、少なくとも１つの突出部は、２つの係合手段を画定するように形成および／または配置される。
【００１２】
戻り止め突起部を備えたロック／滑動部を形成することにより、極めて大きい補強（ｂｒａｃｉｎｇ）力を互いに接続される筐体部品へ加えることができ、２つの筐体部品を互いに向かって引きあわせる。この補強力は、一方では、例えばボルト状の突出部の形状の係合手段の後ろ側にフックの方式で増加的に係合し、このようにして、それをますます引き上げる、戻り止め突起部の形状に起因するものであり、他方で、例えば止めねじの形状のロック／滑動部を作動させるための調節機構のタイプに起因するものである。ロッキング機構の自動ロック効果も生じさせるこの極めて大きい補強力を再び解放し、互いに補強された（ｂｒａｃｅｄ）２つの筐体部品を解放するために、関連する係合手段に対して楔の方式で押圧される、例えばまたボルト状の突出部の形状の傾斜部が設けられ、同時に戻り止め突起部がその係合手段を解放するか、またはそれを解放している。このようにして、最初に互いに強固に接続される両方の筐体部品は力により互いから分離できる。
【００１３】
ロッキング機構のこの構成により、２つの筐体部品の接触点を、それらが放射線に対して不透過性となるように最適化することが可能となる。一例として、さねはぎ接続が２つの筐体部品間に設けられてもよく、これは緊密な圧入が生じるような設計を有する。ロッキング機構が２つの筐体部品にロッキング方向および解放方向の両方に拘束力を加えるとき、圧入が力により確立可能なだけでなく解放可能である。
【００１４】
好ましくは、本発明による筐体は、既に上述のとおり、好ましくはさねはぎ原理に従い結合可能な、ベースプレートと、複数の側壁と、少なくとも１つのアクセス用フードまたはアクセス用蓋と、を備えている。この目的のために、少なくとも１つの溝またはさらに複数の溝が、少なくともベースプレートの筐体内側表面上にその周辺に沿って形成されていてもよく、それらのそれぞれの溝の深さは、側壁および好ましくはアクセス用フード／アクセス用蓋の直立したプラグイン収容のために筐体内側表面に垂直になるように方向づけられている。そのような溝がアクセス用フード／アクセス用蓋上および／または側壁上にも、実際に前記部品から組み立てられる筐体が、選択された長手方向縁部上または全ての長手方向縁部上にさねはぎ接続を含むように、設けられてもよいことは言うまでもない。
【００１５】
本発明の別の態様によると、複数の連続的に離間した案内ピンが、少なくとも１つの筐体部品上または選択された筐体部品、すなわちベースプレート、側壁および／またはアクセス用フード／アクセス用蓋上において、対応する筐体部品のそれぞれの筐体内側表面上の縁部に形成され、案内ピンは、ロック／滑動部を長手方向に案内するために設けられる。好ましくは、ロック／滑動部は板金部品から製造することができるだけでなく、鋳造金属部品から製造することもできる。
【００１６】
ロック／滑動部が、長手方向に連続的に間隔を空けて配置され、案内ピンが長手方向に滑動するように中に挿入されるまたは挿入可能な、複数の長手方向の貫通スロットを備えることが好ましい。換言すると、案内ピンは長手方向の貫通スロットとともにロック／滑動部のためのスロットタイプの案内の一種を構成する。代替的に、ダブテール（ｄｏｖｅｔａｉｌ）案内、カーテン（ｃｕｒｔａｉｎ）案内または同様の案内スロットもまた考えられるであろう。案内が、ロック／滑動部が意図せずに上昇して外れるのを防止すれば有利である。案内ピンの場合、これらには軸方向雌ねじを設けることができ、ロック／滑動部の取付けの後で軸方向雌ねじに留めねじをねじ込むことができる。
【００１７】
本発明のさらなるまたは別の態様によると、作動機構は、それぞれのロック／滑動部を筐体の外側から長手方向に変位させるために設けられる。この作動機構は、止めねじであってもよく、例えば、止めねじは、選択された筐体部品、すなわちベースプレート、側部プレートおよび／またはアクセス用フード／アクセス用蓋に、関連するロック／滑動部の滑動方向にねじ込まれ、止めねじの前面が、関連するロック／滑動部をその長手方向に押すまたは引くために関連するロック／滑動部に係合する。例えば、ニーレバー構成のような作動機構のための他の設計もある。
【００１８】
さらに、少なくとも１つの突出部が、選択された筐体部品、すなわちベースプレート、側壁および／またはアクセス用フード／アクセス用蓋に固定されるまたは固定可能な別体の係合手段コンポーネントにより設けられれば有利である。一方では、これは係合手段コンポーネントが取り付けられるそれぞれの筐体部品を強化／補強する効果を有し、他方では、係合手段コンポーネントをその取付けの間、ロッキング機構が、関連するロック／滑動部と協働して良好に機能することを確保するために、精密に調節することができる。
【００１９】
係合手段コンポーネントが、板金部品または鋳造金属部品として形成され、複数の突起またはボルト状の長手方向に離間した突出部を備え、複数の突起またはボルト状の長手方向に離間した突出部は、それぞれがロック／滑動部上の戻り止め突起部および／または傾斜部と協働するため１つまたは２つの係合手段を画定することが好ましい。
【００２０】
本発明は、添付の図面を参照し好ましい例示的な実施形態に基づいて以下でより詳細に説明される。
【図面の簡単な説明】
【００２１】
【図１】本発明の好ましい例示的な実施形態による好ましくは医療用機器の筐体の一部を示す。
【図２】好ましくは医療用機器の筐体の筐体部品上に設置するための係合手段コンポーネントを示す。
【図３】本発明の好ましい例示的な実施形態によるロッキング機構の一部としての滑動部を示す。
【発明を実施するための形態】
【００２２】
図１に部分的に示される機器筐体は、ベースプレート１と、ベースプレート１に接続されるものである少なくとも２つの側部プレート２と、Ｕ字型設計を有するように屈曲可能な断面を有するフード（図示せず）とを備え、したがって、前記フードは２つのさらなる側部プレートとカバーとを１つの部品として一体形成する。これに対する代替形態として、（底部およびカバーを含む）筐体の各側部がそれぞれのプレート要素から形成されることも可能である。
【００２３】
図１によると、ベースプレート１は、その筐体内側表面に周辺を囲む１つまたは複数の溝４を備え、溝４の中に側部プレート２がさねはぎ原理によって挿入可能であるか、挿入される。加えて、雌ねじを備える複数の実質的に均一に離間したねじ口金またはスタッド６が溝４に沿って形成される。
【００２４】
図１において、部分的にのみ示される筐体に、既に上述した溝４内へ挿入されまたは直立して押圧される２つの対向する側部プレート２が設けられる。さらに、図２に示されるようないわゆる係合手段コンポーネント８が、その周辺領域で各側部プレート２に取り付けられる（ねじで取り付けられる／リベットで留められる／溶接される、など）。
【００２５】
本発明の場合において、係合手段コンポーネント８は、板金組立ストリップ８ａを備える板金部品からなっており、板金組立ストリップ８ａから長手方向に離間した複数のタブ８ｂが実質的に直角に突出する。各タブまたは（選択された）タブ８ｂは、（同一の）長手方向端部に楔形の折り目８ｃを含む。各タブまたは（選択された）タブ８ｂはしたがって、図１および３に基づいて以下に記載されるように、ロッキング機構のための２つの係合手段Ａ、Ｂを形成する。
【００２６】
本発明の場合において、図３によるロッキング機構は、板金または鋳造金属部品により形成されたロックまたは滑動部１０からなる。これは、板金組立ストリップ１２を備え、板金組立ストリップ１２内に、長手方向に離間した複数の長尺状スロット１４がねじ口金６の数および距離に従って形成される。加えて、板金組立ストリップ１２は、複数の楔形の傾斜部１８とともにタブ型の戻り止め突起部２０が長手方向に離間するように形成される自由上縁を含む棚部１６を形成するように、長手方向の一縁部で（９０°）折り曲げられる。傾斜部１８および戻り止め突起部２０の数および位置は、滑動部１０が第１長手方向に係合手段コンポーネント８に沿って移動されるとき、戻り止め突起部２０が係合手段コンポーネント８のタブ８ｂと、（関連する係合手段を表す）互いに対向する側縁Ｂでアンダーカット形式で係合し、したがってそれらを引き上げ、一方で傾斜部２０が、（それらの関連する係合手段を同様に表す）互いに対向する側部折り目Ａで係合手段コンポーネント８のタブ８ｂから離間するように選択される。滑動部１０が逆の長手方向に移動される場合、戻り止め突起部２０は係合手段コンポーネント８のタブ８ｂとの係合を解放し、一方傾斜部１８は係合手段コンポーネント８のタブ８ｂと係合しそれらを離す方向に押す。この手順は以下で、ロッキング機構の機能についての説明との関連においてより詳細に説明される。
【００２７】
一方の長手方向端部において、特に図３に示されるように、ロック／滑動部１０は、折り目２２を備えており、折り目２２は、板金組立ストリップ１２に垂直であり、中に貫通孔２４が形成される。貫通孔２４の配向はロック／滑動部１０の滑動方向に平行である。最後に、戻り止め突起部２０および楔形の傾斜部１８の効果的な方向は互いに反対であることに留意されたい。換言すると、戻り止め突起部２０がある長手方向変位方向において後ろに到達するプロセスを促進する一方で、傾斜部１８は逆の長手方向変位方向に下り傾斜になっており、すなわち、それらの楔効果が逆の長手方向変位方向で生じる。
【００２８】
本発明による筐体の組み立ておよびロッキング機構の作動モードは、図１に基づいて以下に記載される。
【００２９】
図１によると、複数のねじ口金６がベースプレート１の（２つの）対向する長手方向の縁部に形成される。２つのロック／滑動部１０は、ねじ口金６を板金組立ストリップ１２内の長尺状スロット１４に通すことにより長手方向に変位可能となるようにねじ口金６に取り付けられたそれらのそれぞれの板金組立ストリップ１２を備え、最終的に、留めねじ２６がねじ口金６へねじ込まれ、ロック／滑動部１０がねじ口金６から上昇して外れるのを防止する。このようにして、２つのロック／滑動部１０はベースプレート１上を平行に長手方向に移動できる。戻り止め突起部２０と傾斜部１８とを含むそれぞれの長手方向の棚部１６は、各ロック／滑動部１０の外向きに面する長手方向側部上に位置し、ベースプレートの内側に基本的に垂直である。
【００３０】
ロック／滑動部１０を作動させるために、各々１つの作動機構が設けられる。ここで、それは、止めねじ２８からなっており、止めねじ２８は、ベースプレート１にロック／滑動部の長手方向にねじ込まれ、その端部が関連するロック／滑動部１０のそれぞれの貫通孔２４内に、回転可能であるが軸方向に動かないように固定される。換言すると、止めねじ２８をベースプレート１で回転させると、ベースプレート１がねじの長手方向に移動し、この移動がドッキングされたロック／滑動部１０へその長手方向変位のために移される。
【００３１】
係合手段コンポーネント８は、少なくとも１つの長手方向縁部上、本発明の場合においては２つの対向する長手方向縁部上の各側部プレート２上に、係合手段Ａ、Ｂを画定するそのタブ８ｂが関連する滑動部１０の傾斜部１８および戻り止め突起部２０に係合可能な方法で、（ねじで取り付ける、リベットで留める、溶接するなどにより）固定される。
【００３２】
筐体を前記筐体部品から組み立てるために、２つの図示された側部プレート２が例えばベースプレート１に形成される溝４内へ直立して押圧される。次いで、２つのロック／滑動部１０が、その上に形成された戻り止め突起部２０が係合手段コンポーネント８上に形成されたタブ８ｂの後ろに係合し、このようにして、それらを引き上げるような方法で、止めねじ２８により作動される／シフトさせられる。このプロセスにおいて、２つの側部プレート２が溝４内へより強く引かれ、（止めねじを介して加えられる）高い前負荷力を伴う準自動ロッキング方式によりそこに保持される。この方法により、図示された側部プレート２とベースプレート１との間の緊密な接続および電磁放射線を通さない接続が達成される。
【００３３】
側部プレート２の一方を、例えば封入された機器要素（図示せず）を手入れする目的で取り外すために、対応する止めねじ２８が逆方向に回され、したがってロック／滑動部１０が、戻り止め突起部２０が係合手段コンポーネント８のタブ８ｂとの係合を離れ、代わりに傾斜部１８がタブ８ｂに係合してそこに押圧をかける方向に移動される。これにより、それぞれの側部プレート２が傾斜部１８の楔形状に対応してベースプレート１上の溝４から押し出される。
【００３４】
少なくとも２つの平行なロック／滑動部１０を作動させるための共通のねじが、各ロック／滑動部１０に個別に設けられるいくつかの止めねじ２８の代わりに配置されてもよいことは明らかである。ロック／滑動部１０がベースプレート１（および図示されていないアクセス用フード）上の代わりに側部プレート２上に配置されることも可能である。最後に、係合ポイントが図示されたタブにより形成されることは必須ではなく、それらはまた、係合手段コンポーネントに挿入された合わせくぎまたはスタッドボルトにより形成されてもよい。
以下の項目は、国際出願時の請求の範囲に記載の要素である。
（項目１）
好ましくは医療用設計の電気機器または電子機器の筐体であって、
前記筐体は、前記筐体の外側から作動可能なロッキング機構により前記筐体または筐体開口部を閉鎖するために前記筐体上に固定可能な少なくとも１つのアクセス用フード、アクセス用蓋または同様の筐体部品を備えており、
前記ロッキング機構が少なくとも１つのロック／滑動部（１０）を備えており、前記少なくとも１つのロック／滑動部（１０）は前記１つの部品上、すなわち前記筐体上または前記アクセス用フード／アクセス用蓋上に長手方向に変位可能であるように保持され、前記少なくとも１つのロック／滑動部（１０）は少なくとも１つの傾斜部（１８）とそこから滑動方向に離間した少なくとも１つのアンダーカットまたは戻り止め突起部（２０）とが設けられており、
一方で他の部品、すなわち前記アクセス用フード／アクセス用蓋または前記筐体に、少なくとも１つの突出部（８ｂ）が設けられており、少なくとも２つの係合手段（Ａ、Ｂ）が、前記ロック／滑動部（１０）の現時点の滑動位置に応じて、前記アクセス用フード／アクセス用蓋を前記筐体に向かって引くために前記関連する戻り止め突起部（２０）と、または前記アクセス用フード／アクセス用蓋を前記筐体から離れるように押すために前記傾斜部（１８）と、交互に作動的に係合するような方法で、前記少なくとも１つの突出部（８ｂ）は、前記少なくとも２つの係合手段（Ａ、Ｂ）を画定するように形成および／または配置されることを特徴とする、筐体。
（項目２）
さねはぎ原理に従い結合可能な、ベースプレート（１）と、複数の側壁（２）と、前記少なくとも１つのアクセス用フードまたはアクセス用蓋と、を備えることを特徴とする、項目１に記載の筐体。
（項目３）
少なくとも１つの溝または複数の溝（４）が、少なくとも前記ベースプレート（１）の筐体内側表面上にその周辺に沿って形成され、それらのそれぞれの溝の深さが、前記側壁（２）および好ましくは前記アクセス用フード／アクセス用蓋の直立したプラグイン収容のために前記筐体内側表面に垂直になるように配向されていることを特徴とする、項目２に記載の筐体。
（項目４）
複数の連続的に離間した案内ピン（６）が、少なくとも１つの筐体部品上または選択された筐体部品、すなわち前記ベースプレート（１）、前記側壁（２）および／または前記アクセス用フード／アクセス用蓋上において、対応する筐体部品のそれぞれの筐体内側表面上の縁部に形成され、前記案内ピン（６）は、前記ロック／滑動部（１０）を長手方向に案内するために設けられることを特徴とする、項目１〜３のいずれか一項に記載の筐体。
（項目５）
前記ロック／滑動部（１０）が板金または鋳造金属部品から製造されることを特徴とする、項目１〜４のいずれか一項に記載の筐体。
（項目６）
前記ロック／滑動部（１０）が、前記長手方向に連続的に間隔を空けて配置され、前記案内ピン（６）が前記長手方向に滑動するように中に挿入されるまたは挿入可能な、複数の長手方向の貫通スロット（１４）を備えることを特徴とする、項目４に記載の筐体。
（項目７）
前記それぞれのロック／滑動部（１０）を前記筐体の外側から長手方向にシフトさせるための作動機構を備えることを特徴とする、項目１〜６のいずれか一項に記載の筐体。
（項目８）
前記作動機構は止めねじ（２８）であることを特徴としており、前記止めねじ（２８）は、選択された筐体部品、すなわち前記ベースプレート（１）、前記側部プレート（２）および／または前記アクセス用フード／アクセス用蓋に、関連する前記ロック／滑動部（１０）の前記滑動方向にねじ込まれ、前記止めねじ（２８）の前面が、関連する前記ロック／滑動部（１０）をその長手方向に押すまたは引くために前記関連するロック／滑動部（１０）に係合する、項目７に記載の筐体。
（項目９）
前記少なくとも１つの突出部（８ｂ）が、選択された筐体部品、すなわち前記ベースプレート（１）、前記側壁（２）および／または前記アクセス用フード／アクセス用蓋に固定されるまたは固定可能な別体の係合手段コンポーネント（８）により設けられることを特徴とする、項目１〜８のいずれか一項に記載の筐体。
（項目１０）
好ましくは板金部品である前記係合手段コンポーネント（８）が、複数の突起またはボルト状の長手方向に離間した突出部（８ｂ）を備え、前記幾つかの突起またはボルト状の長手方向に離間した突出部（８ｂ）は、それぞれが前記ロック／滑動部（１０）上の前記少なくとも１つの戻り止め突起部（２０）および／または前記少なくとも１つの傾斜部（１８）と協働するため１つまたは２つの係合手段（Ａ、Ｂ）を画定することを特徴とする、項目９に記載の筐体。
【図１】
0006514215.tif 000002
【図２】
0006514215.tif 000003
【図３】
0006514215.tif 000004